(57)【要約】【課題】  像を反転する鏡でありながら、薄くて持ち運びに便利でコンパクトな鏡を提供する。【解決手段】  第１の方向の断面では物体面と反対側に凸面を向けた非球面であり、前記第１の方向に直交する第２の方向の断面では平面である透過光学素子と、前記透過光学素子に対して物体面と反対側に配置した反射光学素子と、を有し、前記物体面から出射した光束は、前記透過光学素子を経て、前記反射光学素子で反射され、前記反射光学素子側から前記透過光学素子を通過し、瞳で結像することを特徴とする。【選択図】図３
2010224104.tif 000002
【特許請求の範囲】
【請求項１】
第１の方向の断面では物体面と反対側に凸面を向けた非球面であり、前記第１の方向に直交する第２の方向の断面では平面である透過光学素子と、
前記透過光学素子に対して物体面と反対側に配置した反射光学素子と、
を有し、
前記物体面から出射した光束は、前記透過光学素子を経て、前記反射光学素子で反射され、前記反射光学素子側から前記透過光学素子を通過し、瞳で結像する
ことを特徴とする鏡。
【請求項２】
以下の条件式（１）を満足することを特徴とする請求項１に記載の鏡。
ｆｘ／３＜ｄ＜２ｆｘ                                          ・・・（１）
ただし、ｄは反射光学素子と透過光学素子の間隔、
ｆｘは透過光学素子の第１の方向の断面の焦点距離、
である。
【請求項３】
前記透過光学素子を支持する第１支持部材と、
前記反射光学素子を支持する第２支持部材と、
前記第１支持部材と前記第２支持部材とを連結する移動機構と、
を備え、
前記移動機構は、前記第１支持部材に支持された前記透過光学素子を、前記第２支持部材に支持された前記反射光学素子に対して近接・離間可能に移動させる
ことを特徴とする請求項１又は請求項２に記載の鏡。
【発明の詳細な説明】
【技術分野】
【０００１】
本発明は、鏡に関し、特に、像を反転させる鏡に関するものである。
【背景技術】
【０００２】
従来、像を反転させる鏡として特許文献１及び特許文献２のようなものが知られている。
【先行技術文献】
【特許文献】
【０００３】
【特許文献１】特開２００１−２１１９７７号公報
【特許文献２】特開２００３−２１０２９２号公報
【発明の概要】
【発明が解決しようとする課題】
【０００４】
しかしながら、特許文献１及び特許文献２において知られている技術は、どちらも２枚の鏡を直角に配置した構造であり、１枚の鏡と比較して奥行きが必要となり、コンパクト性に欠けていた。
【０００５】
本発明は、従来技術のこのような状況に鑑みてなされたものであり、その目的は、像を反転する鏡でありながら、薄くて持ち運びに便利でコンパクトな鏡を提供することである。
【課題を解決するための手段】
【０００６】
上記課題を解決するために、本発明の鏡は、第１の方向の断面では物体面と反対側に凸面を向けた非球面であり、前記第１の方向に直交する第２の方向の断面では平面である透過光学素子と、前記透過光学素子に対して物体面と反対側に配置した反射光学素子と、を有し、前記物体面から出射した光束は、前記透過光学素子を経て、前記反射光学素子で反射され、前記反射光学素子側から前記透過光学素子を通過し、瞳で結像することを特徴とする。
【０００７】
また、以下の条件式（１）を満足することを特徴とする請求項１に記載の鏡。
ｆｘ／３＜ｄ＜２ｆｘ                                          ・・・（１）
ただし、ｄは反射光学素子と透過光学素子の間隔、
ｆｘは透過光学素子の第１の方向の断面の焦点距離、
である。
【０００８】
また、前記透過光学素子を支持する第１支持部材と、前記反射光学素子を支持する第２支持部材と、前記第１支持部材と前記第２支持部材とを連結する移動機構と、を備え、前記移動機構は、前記第１支持部材に支持された前記透過光学素子を、前記第２支持部材に支持された前記反射光学素子に対して近接・離間可能に移動させることを特徴とする。
【発明の効果】
【０００９】
以上の本発明の鏡においては、像を反転する鏡でありながら、薄くて持ち運びに便利でコンパクトな鏡を提供することが可能となる。
【図面の簡単な説明】
【００１０】
【図１】本発明にかかる鏡の光学系の第１の方向の断面図である。
【図２】本発明にかかる鏡の光学系の第１の方向に直交する第２の方向の断面図である。
【図３】本発明にかかる鏡を示す図である。
【図４】本発明にかかる格納した状態の鏡を示す図である。
【図５】本発明にかかる折り畳んだ状態の鏡を示す図である。
【図６】他の実施形態の鏡を示す図である。
【図７】本発明にかかる格納した状態の鏡を示す図である。
【発明を実施するための形態】
【００１１】
本実施形態の鏡は、第１の方向の断面では物体面と反対側に凸面を向けた非球面であり、第１の方向に直交する第２の方向の断面では平面である透過光学素子１３と、透過光学素子１３に対して物体面と反対側に配置した反射光学素子１４と、を有し、物体面から出射した光束は、透過光学素子１３を経て、反射光学素子１４で反射され、反射光学素子１４側から透過光学素子１３を通過し、瞳Ｅで結像する。
【００１２】
このような構成とすることにより、薄くて持ち運びに便利でコンパクトな鏡を提供することが可能となる。
【００１３】
また、本実施形態の鏡は、以下の条件式（１）を満足する。
ｆｘ／３＜ｄ＜２ｆｘ                                          ・・・（１）
ただし、ｄは反射光学素子と透過光学素子の間隔、
ｆｘは透過光学素子の第１の方向の断面の焦点距離、
である。
【００１４】
条件式（１）の下限を下回ると、観察虚像の位置が観察者側になりすぎ、目のピント（視度）をあわすことが難しくなり、明瞭な観察を行うことができない。また、条件式（１）の上限を上回ると、観察虚像の位置が無限遠を超えて収束光束になってしまい、肉眼で観察することができなくなってしまう。
【００１５】
以下、実施例に基づいて本発明にかかる鏡について説明する。
【００１６】
実施例１の鏡１の光学系１１の光軸１２に沿ってとった第１の方向の断面図を図１に、第１の方向に直交する第２の方向の断面図を図２に示す。
【００１７】
本実施例１は、物体面と反対側にシリンドリカル面を有する透過光学素子１３と、透過光学素子１３の物体面と反対側に反射光学素子１４を備えるものである。
【００１８】
透過光学素子１３は、物体面側に平面、物体面と反対側にシリンドリカル面を有する。したがって、図１に示すように、第１の方向としての水平方向断面では、非球面であり、図２に示すように、第２の方向としての鉛直方向断面では、平面である。
【００１９】
反射光学素子１４は、平面からなる。
【００２０】
物体面から出射した光束は、透過光学素子１３を経て、反射光学素子１４で反射され、反射光学素子１４側から透過光学素子１３を通過し、瞳Ｅで結像する。
【００２１】
実施例１の仕様は、
追跡像高  φ４０
瞳径      φ２０
である。
【００２２】
以下に、上記実施例の構成パラメータを示す。
【００２３】
また、各実施例の光学系を構成する光学作用面の中、特定の面とそれに続く面が共軸光学系を構成する場合には面間隔が与えられており、その他、面の曲率半径、媒質の屈折率、アッベ数が慣用法に従って与えられている。
【００２４】
また、後記の構成パラメータ中にデータの記載されていない係数項は０である。屈折率、アッベ数については、ｄ線（波長５８７．５６ｎｍ）に対するものを表記してある。長さの単位はｍｍである。
【００２５】
なお、非球面は、以下の定義式で与えられる回転対称非球面である。
Ｚ＝（Ｙ2 ／Ｒ）／［１＋｛１−（１＋ｋ）Ｙ2 ／Ｒ2 ｝1 /2］
＋ａＹ4 ＋ｂＹ6 ＋ｃＹ8 ＋ｄＹ10＋・・・
・・・（ａ）
ただし、Ｚを軸とし、Ｙを軸と垂直な方向にとる。ここで、Ｒは近軸曲率半径、ｋはコーニック定数、ａ、ｂ、ｃ、ｄ、…はそれぞれ４次、６次、８次、１０次の非球面係数である。この定義式のＺ軸が回転対称非球面の軸となる。
【００２６】
実施例１
面番号    曲率半径                      面間隔        屈折率  アッベ数
物体面      ∞                          300.00
1    Ｙトーリック面                   15.00        1.5163    64.1
2        ∞                          200.00
3    Ｙトーリック面                 -200.00        1.5163    64.1
4        ∞                          -15.00
5        ∞                         -300.00
6        ∞（絞り）                 1019.00
像  面      ∞
Ｙトーリック面
RX=-100.00
k=-1.00
RY=∞
【００２７】
次に、上記各実施例における各種データの値を示す。
【００２８】
各種データ        実施例１
Ｆｘ            193.7
【００２９】
このように、鏡１の光学系１１を構成することにより、像を反転する鏡でありながら、薄くて持ち運びに便利でコンパクトであると共に、コントラストに優れ、再現性の高い鏡とすることが可能となる。
【００３０】
また、透過光学素子１３として、Ｙトーリック面の代わりにフレネル面を用いてもよい。フレネル面を用いることにより、さらに薄型化することが可能となる。
【００３１】
次に、光学系１１を支持部材で支持した鏡１の実施形態について説明する。
【００３２】
図３〜図５は、第１の実施形態を示す図である。図３は本発明にかかる鏡を示す図、図４は鏡の透過光学素子を格納した状態を示す図、図５は鏡を折り畳んだ状態を示す図である。図中、２１は台部、２２はヒンジ等で形成される折り畳み部、２３は第１支持部材、２４は第２支持部材、２５は移動機構である。
【００３３】
第１支持部材２３は、光学系１１の反射光学素子１４を支持するものであり、台部２１と折り畳み部２２を介して、折り畳み可能に連結されている。また、第１支持部材２３には透過光学素子１３を移動させる移動機構２５が設けられている。
【００３４】
第２支持部材２４は、光学系１１の透過光学素子１３を支持するものであり、移動機構２５により、第１支持部材２３と連結されている。
【００３５】
移動機構２５は、透過光学素子１３を反射光学素子１４に対して近接・離間可能に移動させるものである。本実施形態では、移動機構２５は、交差して配置する連結部材２５ａを有し、連結部材２５ａの一端を第１支持部材２３又は第２支持部材２４のどちらか一方に回動可能に支持され、連結部材２５ａの他端を他方にスライド支持することで移動可能とする。
【００３６】
図３に示すように、鏡を使用する場合、図５に示す鏡を折り畳んだ状態から第１支持部材２３を開き、図４に示すような透過光学素子１３が格納された状態から移動機構２４を作動させて透過光学素子１３を前に移動させる。移動機構２４の作動は、ボタン等により作動させてもよいし、第１支持部材２３が開くことに連動して作動させてもよい。また、第１支持部材２３が開く動作は、図５に示すような折り畳まれた状態からボタン等により作動させればよい。さらに、第１支持部材２３が開き、移動機構２４により透過光学素子１３及び第２支持部材２４を前に移動させる一連の動作をボタン等により作動させてもよい。
【００３７】
なお、第１支持部材２３及び第２支持部材２４が図３に示す所定の位置で停止するように連結部材２５ａのスライドを規制する図示しない規制部材を有することが好ましい。この位置によって鏡の光学性能・機能が決定される。
【００３８】
図６及び図７は、第２の実施形態を示す図である。図６は本発明にかかる鏡を示す図、図７は鏡を格納した状態を示す図である。図中、３１は第１支持部材、３２は第２支持部材、３３は移動機構である。
【００３９】
第１支持部材３１は、光学系１１の反射光学素子１４を支持するものであり、第２支持部材３２は、透過光学素子１３を支持するものである。移動機構３３は、第１支持部材３１及び第２支持部材３２にそれぞれ回動可能な連結部材３３ａを有し、透過光学素子１３を反射光学素子１４に対して近接・離間可能に移動させるものである。
【００４０】
図６に示す鏡として使用する状態から、図７に示す格納した状態に変換するには、移動機構３３を作動させ、連結部材３３ａを回動させればよい。その際、第１支持部材３１及び第２支持部材３２が図６に示す所定の位置で停止するように連結部材３３ａの回動を規制する図示しない規制部材を有することが好ましい。
【符号の説明】
【００４１】
１…鏡
１１…光学系
１２…光軸
１３…透過光学素子
１４…反射光学素子
２１…台部
２２…折り畳み部
２３…第１支持部材
２４…第２支持部材
２５…移動機構
３１…第１支持部材
３２…第２支持部材
３３…移動機構
Ｅ…瞳
【図１】
2010224104.tif 000003
【図２】
2010224104.tif 000004
【図３】
2010224104.tif 000005
【図４】
2010224104.tif 000006
【図５】
2010224104.tif 000007
【図６】
2010224104.tif 000008
【図７】
2010224104.tif 000009